(57)【特許請求の範囲】
【請求項１】
液体透過性の第１の材料、及び前記第１の材料に取り付けられている液体透過性の第２の材料を具備しているラミネートウェブを製造するための方法において、
ａ）前記１対のローラが、第１の１対の熱せられたローラにより形成されているニップを通り、第１の材料を搬送する工程であり、前記第１の１対の熱せられたローラは、一方のローラが滑らかな外表面を有していると共に、他方のローラが、自身から複数の突起が延びている外表面を有している前記工程；
ｂ）第１の材料及び第２の材料が、溶融された周辺を有している複数の孔をあけられ、ラミネートを形成するために互いに接着されるように、上記ａ）において説明されている１対のローラにより形成されている前記ニップを通り、第２の材料を搬送する工程；
ｃ）前記孔の前記溶融された周辺が固まるように前記ラミネートウェブを冷やす工程；及び
ｄ）前記孔の前記固められた溶融された周辺を壊すように第２の１対のローラにより形成されたニップを通り、前記ラミネートを搬送する工程；
を具備しているラミネートウェブを製造するための方法。
【請求項２】
前記第２の材料は、第１の材料の親水性より大きい親水性を有している請求項１に記載のラミネートウェブを製造するための方法。
【請求項３】
前記第１の１対のローラは、同一の速度を有している請求項１又は２に記載のラミネートウェブを製造するための方法。
【請求項４】
前記第２の１対のローラは、同一の速度を有している請求項１乃至３のいずれか１項に記載のラミネートウェブを製造するための方法。
【請求項５】
前記ラミネートウェブは、前記ラミネートウェブに冷却空気を吹き付けることにより冷やされる請求項１乃至４のいずれか１項に記載のラミネートウェブを製造するための方法。
【請求項６】
前記第２の１対のローラは、各々滑らかな外表面を有している請求項１乃至５のいずれか１項に記載のラミネートウェブを製造するための方法。
【請求項７】
第２の１対のローラの周辺線速さは、第１の１対のローラの周辺線速さより大きい請求項１乃至６のいずれか１項に記載のラミネートウェブを製造するための方法。
【請求項８】
前記第１及び第２の材料は、不織りのウェブを具備している請求項１乃至７のいずれか１項に記載のラミネートウェブを製造するための方法。
【請求項９】
前記第２の材料は、第１の材料より大きい幅を有している請求項１乃至８のいずれか１項に記載のラミネートウェブを製造するための方法。
【請求項１０】
前記第１の材料、及び／又は、第２の材料は、上記請求項１のａ）において説明されている１対のローラにより形成されている前記ニップを通り搬送される前に、複数のストリップに切断される請求項１乃至９のいずれか１項に記載のラミネートウェブを製造するための方法。
【発明の詳細な説明】
【０００１】
発明の属する技術分野
本発明は、孔のあけられたラミネートウェブを製造するための方法に関しており、特に使い捨て吸収性製品のトップシートとして使用するために適した孔のあけられたラミネートウェブを製造するための方法に関している。
【０００２】
発明の背景
オムツや成人用失禁用製品のような使い捨て吸収性製品は、当該技術分野において良く知られている。このような使い捨て製品は、着用者により堆積された尿及び便物質を収集し、保持する。
【０００３】
今日まで、使い捨て吸収性製品中に収集し、保持された尿及び便物質を処理するための多くの試みは、尿を処理することに対して示唆されている。使い捨て吸収性製品により収集された便物質を扱うことは、低い粘性の便物質の複雑なレオロジー（ｒｈｅｏｌｏｇｙ）であるため、尿を扱うことよりも単により難しい。
【０００４】
従来の技術の尿を処理することの例は、使い捨て吸収性製品を提供するための幾つか試みられている。前記使い捨て吸収性製品は、前記使い捨て吸収性製品が着用者から取り外されるまで、尿を吸収するか、又は第１のトップシートの下において貯蔵のための横たわっているコアに尿を移動する、着用者の身体に向かって対面し、接触している第１のトップシートと、第２のトップシートと、を有している。
【０００５】
典型的に、第１のトップシートと第２のトップシートとは、異なった材料特性を有している。第２のトップシートは、第１のトップシートより小さい孔の寸法を有しており、前記孔は、前記トップシートを通過する尿の移動を手助けする。第１のトップシートは、第１のトップシートから第２のトップシートに液体が通り抜けるために、疎水性にされ得るとともに、濡れたときに第２のトップシートより弾力性があり得る。
【０００６】
さらに従来の技術での他の試みにおいて、第１のトップシート、第２のトップシート、及びコアを有している。第２のトップシートは、本質的に溶融吹き込み疎水性繊維（ｍｅｌｔｂｌｏｗｎ  ｈｙｄｒｏｐｈｉｌｉｃ  ｆｉｂｅｒｓ）から構成されており、コアの前記孔の寸法より大きい孔の寸法を有している。この配置は、多様な液体の発生（liquid  ｉｎｓｕｌｔｓ）急速に受け止めること、及び前記コアにより吸収される前にＸ−Ｙ平面において分配することを第２のトップシートに認めさせるといわれている。さらに他の試みにおいて、尿のための改良された水平方向に運ぶ可能性は、任意の表面仕上げされるか、又は、互いに架橋されている、膨張したセルロース繊維を使用することで達成されるといわれている。
【０００７】
従来の技術での他の試みにおいて、特に効果的で能率的な手段において、尿のような液体を、取得し閉じ込めるための適した吸収性コアは、複数のレイヤーを有している。着用者に対してもっとも近接している第１のレイヤーは、親水性繊維材料を有しており、排出された液体の速い取得のために、このレイヤーの他の位置より比較的低い平均密度の取得領域を有している。以下の第１のレイヤーは、弾力性、湿気無反応な低密度高空隙量材料を具備しており、このことは、獲得領域を通過した多様な液体の発生を急速に受け止めることと、貯蔵レイヤーに対して液体処理レイヤー全体に液体を分配することとのためである。
前記貯蔵レイヤーは、繊維材料の組み合わせ、及び吸収性ゲル状材料の分離した粒子を具備しており、獲得された液体を排出されることを液体処理レイヤーに認め、故に、液体処理レイヤーは、獲得するのに十分な容量を有することができ、そして、液体の続く充填が分配される。
【０００８】
従来の技術の試みの例は、１９９７年９月１３日にカラミ（Ｋａｒａｍｉ）に発行された米国特許第４，０４７，５３１号；１９８９年１月１７日にマイヤー（Ｍｅｙｅｒ）らに発行された米国特許第４，７９８，６０３号；１９９１年８月６日にチェン（Ｃｈｅｎ）らに発行された米国特許第５，０３７，４０９号；１９９２年６月２３日にバーナディン（Ｂｅｒｎａｒｄｉｎ）らに発行された米国特許第５，１２４，１９７号；及び１９９２年７月２３日にレイジン（Ｒｅｉｓｉｎｇ）らに発行された米国特許第５，１３４，００７号を含んでいる。
【０００９】
もちろん、吸収性ゲル状材料はまた、これらの尿処理の可能性にために従来技術において、良く知られている。吸収性ゲル状材料は、尿のような多量の液体を吸収可能であるとともに、適度な圧力において吸収された液体を保持可能である高分子材料である。吸収性ゲル状材料の有用性は、殆ど、使い捨て吸収性製品のコア中に混合される吸収性ゲル状材料の形状、位置、及び重量パーセンテージに依存している。
【００１０】
現在の試みは、圧力に対抗して膨張可能である吸収性ゲル状材料を提供することが、当該技術分野においてなされている。これらの教えは、吸収性ゲル状材料が、使用の間に身体により発生する実際の圧力において液体を吸収する効果を提供することを主張している。さらに、当該技術において、負荷下での特に自由な膨張率及び吸収性を有している吸収性ゲル状材料を提供する。このような吸収性ゲル状材料の主張された効果は、略同一な吸収性容量を備えている低い量及びかさ、使用の間に遭遇する通常の圧力下においての分配された液体の急速な吸収能力、及び、使用の間に遭遇する通常の圧力下においての吸収された液体を保持する能力、である。
【００１１】
もう１つの従来の試みにおいて、スズキらに発行された米国特許第４，７０４，１１２号は、異なる繊維の構成物の２つの異なるレイヤーを有している不織りの繊維を具備しているフェーシング（ｆａｃｉｎｇ）が開示されている。上部レイヤーは、孔のパターンを有しており、疎水性の繊維から作られており、下部レイヤーは、孔を有しておらず、親水性の繊維から作られている。
【００１２】
従来の技術においてのこのような試みの例は、１９９２年９月１５日にケレンバーガー（Ｋｅｌｌｅｎｂｅｒｇｅｒ）に発行された米国特許第５，１４７，３４３号、及び１９９２年９月２２日にケレンバーガー（Ｋｅｌｌｅｎｂｅｒｇｅｒ）らに発行された米国特許第５，１４９，３３５号に含まれている。
【００１３】
しかしながら、尿処理のためのこれらの試みの全ては、使い捨て吸収性製品流に現れる低い粘性の便物質の処理を改良するためにむしろ少し役に立つ。便物質を扱うための試みは、着用者に密着して順応し、孔を有している第１のトップシートを提供することが含まれている。前記孔は、便物質が空隙中に入るように前記孔を通り抜けるように、うまくいけば肛門の開口と一致される。第１のトップシートは、着用者の肌に密着して順応するために多様な弾性パネルを具備し、及び／又は、ライナー弾性ストランドを有し得る。改良は、第１のトップシートの材料特性を最適化するように、従来の技術の範囲内でされ得る。このような最適化は、着用者に対してより快適な第１のトップシートを作り、着用者のサイズの幅広い範囲に適合することを単一の使い捨て吸収性製品に可能にする。
【００１４】
さらに他の試みは、便物質を受け止めるための穴を有している吸収性コアを提供するように、従来の技術の範囲内でなされている。前記穴は、第１のトップシートの孔より長くて細くなるように、偏円形状にされ得る、又は菱形形状にされ得る。前記コア中の穴は、周縁に弾性ストリップを有している孔の下に配置され得る。
【００１５】
従来の技術の使い捨て吸収性製品のこの様式の改良はまた、空間の追加を含んでいる。空間は、便物質を受け止めるために存在する空隙空間を確実にするために、第１の材料と前記コアとの間に挿入され得る。
【００１６】
さらに、他の試みは、使い捨て吸収性製品の特定の部分への便物質の移動を制限するための境界を提供するために、従来の技術の範囲内でなされている。境界は、境界を有していない比較可能な使い捨て吸収性製品より、着用者の肌の少ない部分に対して便物質の接触を制限する。
【００１７】
さらに、従来の技術においての他の物質は、トップシートの面から直立している境界レッグカフスを提供している。境界レッグカフスは、使い捨て吸収性製品の周辺を突破することから便物質を防ぐ。便物質を処理するためのこれらのような提案の例は、１９９０年１月９日にデスマライス（ＤｅｓＭａｒａｉｓ）らに発行された米国特許第４，８９２，５３６号、１９９０年３月２０日にアジズ（Ａｚｉｚ）らに発行された米国特許第４，９０９，８０３号；１９９０年１１月６日にカーン（Ｋｈａｎ）に発行された米国特許第４，９６８，３１２号；１９９１年２月５日にフリーランド（Ｆｒｅｅｌａｎｄ）に発行され、共通に譲渡された米国特許第４，９９０，１４７号；１９９１年８月６日にアレン（Ａｌｌｅｎ）らに発行され、共通に譲渡された米国特許第５，０３７，４１６号；１９９１年１１月５日にホールト（Ｈｏｌｔ）らに発行された米国特許第５，０６２，８４０号；１９９２年１２月１５日にドリアー（Ｄｒｅｉｅｒ）らに発行され、共通に譲渡された米国特許第５，１７１，２３６号；及び１９９０年２月２８日にエンローイ（Ｅｎｌｏｅ）に発行された欧州特許出願番号第０，３５５，７４０  Ａ２号に含まれている。
【００１８】
しかしながら、便物質を処理するためのこれらの試みは、低い粘性の便物質の問題を、幼い特に授乳期の子供において卓越して有力に解決していない。
【００１９】
便物質の移動は、漏れの見込みを増加するように、使い捨て吸収性製品の周辺方向にしばしば移動する。便物質の移動は、きれいにすることがよりむずかしくなるように、これを着用者の肌に対して塗りつける。着用者をきれいにするために、世話人は、便物質が遭遇している、及び比較的広く汚されている範囲において分配されるように典型的に有している、肌の全体の領域を拭かなければならない。
【００２０】
低い粘性の便物質を処理するための当該技術において１つの試みは、１９９３年６月１１日にロイ（Ｒｏｅ）の名前において出願された米国特許出願番号第０８／０７６，７１３号において分かる。この出願は、低いトランストップシート（ｔｒａｎｓ―ｔｏｐｓｈｅｅｔ）の浸透力を有している第２のトップシートの上に横たわる、高いトランストップシートの浸透力を有している第１のトップシートを有している使い捨て吸収性製品である。
【００２１】
発明の要旨
本発明は、おむつのような使い捨て吸収性製品上のトップシートとして使用され、第１及び第２の材料から形成される孔のあけられたラミネートウェブを製造するための方法である。第２の材料は好ましくは、第１の材料の親水性より大きい親水性を有している。第１及び第２の材料は、第１の１対の熱せられたローラにより形成されているニップを通り、搬送され、前記第１の１対の熱せられたローラは、一方のローラが滑らかな外表面を有していると共に、他方のローラが、自身から複数の突起が延びている外表面を有している。前記第１の１対のローラは、ラミネートウェブを形成するように前記材料を互いに接着するとともに、溶融された周辺を有している複数の前記孔を形成する。前記孔の溶融された周辺が固まるようにラミネートウェブを冷やす。前記孔の前記固められた溶融された周辺を壊すように第２の１対のローラにより形成されたニップを通り、前記ラミネートを搬送する。
【００２２】
好ましい実施の形態の詳細な説明
ここで使用されている用語「吸収性製品（ａｂｓｏｒｂｅｎｔ  ａｒｔｉｃｌｅ）」は、身体滲出物を吸収し、閉じ込める装置を指しており、より詳しくは、身体から排出された種々の滲出物を吸収し、閉じ込めるために、着用者の身体に接触、又は近接して配置されている装置を指している。用語「使い捨て（ｄｉｓｐｏｓａｂｌｅ）」は、洗濯されるか、又は他の方法で修復させるか、吸収性製品として再利用するか、を意図されていない（言い換えると、１度の使用で廃棄される、好ましくは、リサイクルされる、堆肥にされる、又は環境的に適合する方法の他の処理方法を意図する）吸収性製品を説明するためにここで使用されている。「一体的（ｕｎｉｔａｒｙ）な」吸収性製品は、分離したホルダーやライナーのような分離して処理する部品を必要としないように、統合された実体を形成するように互いに一体化された分離した部品から形成されている吸収性製品を指している。トップシートととして本発明のラミネートウェブを使用している吸収性製品は、図１に示されているおむつのような一体的な吸収性製品である。ここで使用されている用語、「おむつ（ｄｉａｐｅｒ）」は、幼児及び成人失禁患者により一般的に着用されており、略着用者の下部の胴に着用された吸収性製品を指している。本発明のラミネートウェブは、失禁用ブリーフ、失禁用下着、吸収性挿入物、おむつホルダー並びにライナー、及び女性用衛生衣服等のような、他の吸収性製品においてもトップシートとして使用され得る。
【００２３】
本発明は、使い捨て吸収性製品のトップシートととして使用されるために適したラミネートウェブを提供することの前後関係により、説明されるであろうが、本発明は、このような適用に限定される方法ではない。ラミネートウェブの説明及び自身のトップシートととしての使用は、当業者に他の装置及び他の使用を本発明に容易に認められるであろう。
【００２４】
図１は、おむつ２０の構造をより明確に示すために切断されている構造の部分と、着用者に対面し、接触するおむつ２０の部分、観察者の方に指向された内表面、とを備えており、平らに伸ばされた状態、収縮していない（言い換えると、収縮が引き起こされる弾性部材が引き伸ばされた状態）の本発明のおむつ２０の平面図である。図１に示されているように、おむつ２０は、好ましくは、液体透過性トップシート２４；トップシート２４に接合されている液体不透過性のバックシート２６；トップシート２４とバックシート２６との中間に配置されている吸収性コア２８を有している。おむつ２０はさらに、弾性側部パネル（図示せず）；弾性腰特徴部（図示せず）；及び参照符号３６で全体を通して複数指摘されているテープタブを備えている固定システムを有している。
【００２５】
おむつ２０は、おむつ２０が着用されている間に着用者の前面に並置される第１の腰領域２７と、おむつ２０が着用されている間に第１の腰領域の反対側に位置されるとともに着用者の背面に並置される第２の腰領域２９と、おむつ２０の外縁により規定され、長手方向縁が参照符号３３で指摘され、端縁が参照符号３５で指摘されている周縁と、を有しているように図１に示されている。おむつ２０の内表面は、使用中に着用者の身体に隣接されるおむつ２０の部分を有している（言い換えると、内表面は、全体を通して、トップシート２４の少なくとも１部分及びトップシート２４に接合された他の部分により形成されている）。外表面は、使用している間において、着用者の身体から離れて配置されたおむつ２０の部分により形成されている（言い換えると、外表面は、全体を通して、バックシート２６の少なくとも１部分と、バックシート２６に接合された他の部分とにより形成されている）。
【００２６】
図１は、吸収性コア２８より概ね大きい長さ及び幅寸法を有しているトップシート２４及びバックシート２６のおむつ２０の１つの実施の形態を示している。トップシート２４及びバックシート２６は、おむつ２０の周縁を形成するように吸収性コア２８の縁を超えて延びている。トップシート２４、バックシート２６、及びコア２８は、良く知られている構成の種類において、組み立てられ得るが、好ましいおむつの構成は、１９７５年１月１４日にケネス  Ｂ  ビュエル（Ｋｅｎｎｅｔｈ  Ｂ．Ｂｕｅｌｌ）に発行され「使い捨ておむつのための収縮可能な使い捨ておむつ」と題された米国特許第３，８６０，００３号；及び１９９２年９月２９日にケネス  Ｂ  ビュエルらに発行された「前処理された弾性曲げヒンジ（ｒｅｓｉｌｉｅｎｔ  ｆｌｅｘｕｒａｌ  ｈｉｎｇｅ）を有している動的弾性腰特徴部を備えている吸収性製品」である米国特許第５，１５１，０９２号において、一般的に説明されており、各々が参照されここで組み込まれている。
【００２７】
吸収性コア２８は一般的に、圧縮性、従順、着用者の肌に無刺激、及び尿及び他のいくらかの身体滲出物のような液体を吸収及び閉じ込め可能、であるどのような吸収性手段であり得る。図１に示されているように、吸収性コア２８は、衣服表面、身体表面、側部縁、及び腰縁を有している。吸収性コア２８は、幅広い種類の寸法及び形状（例えば、三角形、漏刻形、Ｔ字形状、及び非対称な形状など）において製造され得るとともに、使い捨ておむつ、及び一般的にエアーフェルト（ａｉｒｆｅｌｔ）として指摘される粉砕された木材パルプのような他の吸収性製品において共通に使用される幅広い種類の液体吸収性材料から製造され得る。他の適した吸収性材料の例としては、縮められたセルロース詰め物（ｃｒｅｐｅｄ  ｃｅｌｌｕｌｏｓｅ  ｗａｄｄｉｎｇ）；コフォーム（ｃｏｆｏｒｍ）を含む溶融吹き込みポリマー；化学的硬化され（ｃｈｅｍｉｃａｌｌｙ  ｓｔｉｆｆｅｎｅｄ）、架橋されたセルロース繊維；ティシューラップ（ｔｉｓｓｕｅ  ｗｒａｐ）及びティシューラミネートを含むティシュー；吸収性フォーム；吸収性スポンジ；超吸収性ポリマー；吸収性ゲル化材料；又は同等の材料若しくは材料の組み合わせを含んでいる。
【００２８】
吸収性コア２８の前記構成及び構造はまた、変化し得る（例えば、吸収性コア２８は、変化するキャリパー（ｃａｌｉｐｅｒ）領域、親水性勾配、超吸収性勾配、若しくは低い平均密度並びに低い平均斤量の獲得領域を有しえる；又は１つ若しくはそれ以上のレイヤー若しくは構造を有し得る）。しかしながら、吸収性コア２８の全吸収容量は、設計負荷（ｄｅｓｉｇｎ  ｌｏａｄｉｎｇ）、及びおむつの意図される使用を両立されるべきである。さらに、寸法及び吸収性コア２８の吸収容量は、幼児から成人までの範囲の着用者に適応するように変化され得る。
【００２９】
吸収性コアとして使用されるための例示的な吸収性構造は、１９８６年９月１９日にウェイスマンらに発行され「高密度吸収性構造」と題された米国特許第４，６１０，６７８号；１９８７年６月１６日にウェイスマンらに発行され「デュアルレイヤーコア（ｄｕａｌ  ｌａｙｅｒｅｄ  ｃｏｒｅｓ）を備えた吸収性製品」と題された米国特許第４，６７３，４０２号；１９８９年１２月１９日にアングスタッド（Ａｎｇｓｔａｄｔ）に発行され「ちりを払われた（ｄｕｓｔｉｎｇ）レイヤーを有している吸収性コア」と題された米国特許第４，８８８，２３１号；及び１９８９年５月３０日にアルマーニ（Ａｌｅｍａｎｙ）らに発行され「低い密度及び低い斤量の獲得領域を有している高密度吸収性部材」と題された米国特許第４，８３４，７３５号において説明されている。各々のこれらの発明は、参照されここで組み込まれている。
【００３０】
バックシート２６は、吸収性コア２８の衣服表面に隣接して配置されており、好ましくは、当該技術分野でよく知られているような連結部材（図示せず）により接合されている。ここで使用されている用語「接合」は、部材が、部材を他の部材に直接貼り付けることにより他の部材に直接固定される構成と、部材が他の部材に順に貼り付けられるように、１又は複数の中間部材に部材を取り付けることにより他の部材に間接的に固定される構成とを含んでいる。
【００３１】
例えば、バックシート２６は、接着材の均一で一連なレイヤー、接着剤のパターン状のレイヤー、又は接着剤の分離した線、螺旋、若しくはスポットの整列により、吸収性コア２８に固定され得る。満足に分かられている接着剤は、ミネソタ州セントポール（Ｍｉｎｎｅｓｏｔａ，Ｓｔ．Ｐａｕｌ）のＨ．Ｂ．フラー社（Ｈ．Ｂ．Ｆｕｌｌｅｒ  Ｃｏｍｐａｎｙ）により製造され、ＨＬ−１２５８の名称で市販されている。前記連結手段は、１９８６年３月４日にミネトラ（Ｍｉｎｅｔｏｌａ）らに発行され「使い捨て腰包み込み衣服」と題された米国特許第４，５７３，９８６号で説明されているような接着剤のフィラメントのオープンパターンネットワーク（ｏｐｅｎ  ｐａｔｔｅｒｎ  ｎｅｔｗｏｒｋ）を具備しているであろうし、さらに好ましくは、１９７５年１０月７日にスプレーギュ（Ｓｐｒａｇｕｅ）Ｊｒ．に発行された米国特許第３，９１１，１７３号；１９７８年１１月２２日にズィッカー（Ｚｉｅｃｋｅｒ）らに発行された米国特許第４，７８５，９９６号；及び１９８９年６月２７日にウェルニックズ（Ｗｅｒｅｎｉｃｚ）に発行された米国特許第４，８４２，６６６号において示されている装置及び方法により説明されているような渦巻きパターンに渦が巻かれた接着剤のフィラメントの幾つかの線を具備しているであろう。各々のこれらの発明は、参照されここで組み込まれている。代わりに、連結手段は、融着、圧着、超音波接着、動的機械接着、又は当該技術分野で知られている他の接着手段若しくはこれらの接着手段の組み合わせであり得る。
【００３２】
バックシート２６は、液体（例えば、尿）に対して不透過性であり、好ましくは、薄いプラスチックフィルムから製造されるが、他の柔軟な液体不透過性の材料も使用され得る。ここで使用されている用語「柔軟な（ｆｌｅｘｉｂｌｅ）」は、従順であり、人間の身体の全体形状及び輪郭に容易に適応するであろう材料を指している。
【００３３】
バックシート２６は、ベッドシート及び下着のようなおむつ２０に接触し濡らされる製品から吸収性コア２８中に吸収され閉じ込められている滲出物を妨げる。従って、バックシート２６は、ポリエチレン若しくはポリプロピレンの熱可塑性フィルムのような織られた、若しくは不織りの重合体のフィルム、又はフィルムに覆われた不織りの材料のような合成材料を具備し得る。好ましくは、バックシート２６は、約０．０１２ｍｍ（０．５ｍｉｌ）ないし０．０５１ｍｍ（２．０ｍｉｌ）の厚さを有している熱可塑性フィルムである。バックシート２６のための特に好ましい材料は、インディアナ州テレオート（ＴｅｒｒｅＨａｕｔｅ，Ｉｎｄｉａｎａ）のトレデガー工業社（Ｔｒｅｄｅｇａｒ  Ｉｎｄｕｓｔｒｉｅｓ）により製造されたＲＲ８２２０吹き付けフィルム（ｂｌｏｗｎ  ｆｉｌｍｓ）及びＲＲ５４７５キャストフィルム（ｃａｓｔ  ｆｉｌｍｓ）を含んでいる。バックシート２６は、より布状の外観を提供するために、好ましくはエンボスされ、及び／又は、つや消し仕上げされる。さらに、バックシート２６は、滲出物がバックシート２６を通り抜けることを防ぐが、吸収性コア２８から逃げるような蒸気を認めるだろう（言い換えると、通気性がある）。
【００３４】
図１及び図２を参照して、トップシート２４は、吸収性コア２８の身体表面に並置されているが、必ずしも隣接している必要はなく、好ましくは当該技術分野でよく知られているような手段によりバックシート２６又は吸収性コア２８に接合されている。適した連結手段は、上述のバックシート２６を吸収性コア２８に接合することに関して説明されている。本発明の好ましい実施の形態において、トップシート２４及びバックシート２６は、おむつの周縁において互いに直接接合されている。トップシート２４は、２つの異なり別個の液体透過性材料４２及び４４で組み立てられたラミネートウェブ４０を具備している。第１の材料４２は、従順、柔らかい感触、及び着用者の肌に無刺激である。第１の材料４２は、好ましくは液体透過性の不織りのウェブである。前記不織りのウェブは、可溶性（ｆｕｓｉｂｌｅ）の重合体の繊維若しくはフィラメントから形成される繊維材料である。前記不織りのウェブは、幾つかの以下の高分子から形成され得る：これらの高分子は、ポリアミド（ｐｏｌｙａｍｉｄ）、ポリプロピレン（ｐｏｌｙｐｒｏｐｙｌｅｎｅ）、ポリプロピレン共重合体（ｐｏｌｙｐｒｏｐｙｌｅｎｅ  ｃｏｐｏｌｙｍｅｒｓ）、重材料（ｂｉ−ｃｏｍｐｏｎｅｎｔ）、ポリエチレン（ｐｏｌｙｅｔｈｙｌｅｎｅ）、ポリエチレン  テレフタレート（ｐｏｌｙｅｔｈｙｌｅｎｅ−ｔｅｒｅｐｈｔｈａｌａｔｅ）、及びこれらの組み合わせなどである。適した材料は、ドライレイド（ｄｒｙ  ｌａｉｄ）及び毛羽立てられたウェブ、エアーレイド（ａｉｒ  ｌａｉｄ）及びランダムウェブ（ｒａｎｄｏｍ  ｗｅｂ）、スポンボンデッド（ｓｐｕｎｂｏｎｄｅｄ  ｗｅｂ）、溶融吹き付けウェブ、スプンレースドウェブ（ｓｐｕｎｌａｃｅｄ  ｗｅｂ）、及び貫通エア（ｔｈｒｏｕｇｈ  ａｉｒ）若しくはカレンダー接着ウェブ（ｃａｌｅｎｄａｒ  ｂｏｎｄｅｄ  ｗｅｂ）を含んでいる。代わりに、前記不織りのウェブは、飽和接着（ｓａｔｕｒａｔｉｏｎ  ｂｏｎｄｉｎｇ）を経由したラテックス接着（ｌａｔｅｘ−ｂｏｎｄｅｄ）、グラビア印刷、スクリーン印刷、スプレー、又はフォーム接着、であり得る。まださらに、前記不織りのウェブは、ラテックス接着及びカレンダー接着ウェブ、又は他の適した組み合わせのような、上記の技術の組み合わせで接着され得る。繊維は、約１と１８との間が好ましいデニール（ｄｅｎｉｅｒ）を有している繊維に関して、大小さまざまにし得る。第１の材料４２は、好ましくは約５ｇｓｍから１００ｇｓｍの斤量を有しており、より好ましくは、約５ｇｓｍから約６０ｇｓｍの斤量を有している。第１の材料４２は、好ましくは約０．１ｍｍから５．０ｍｍのキャリパーを有しており、より好ましくは約０．１ｍｍから約２．０ｍｍのキャリパーを有している。
【００３５】
第１の材料４２は、少なくとも０．２ｍｍ平方ミリメートルの有効な孔の寸法を備えている複数の孔４６を有しており、より好ましくは、前記複数の孔は、少なくとも０．５ｍｍ平方ミリメートルの有効な孔の寸法を有しており、さらにより好ましくは、前記複数の孔は、少なくとも１．０ｍｍ平方ミリメートルの有効な孔の寸法を有しており、もっとも好ましくは、前記複数の孔は、少なくとも２．０ｍｍ平方ミリメートルの有効な孔の寸法を有している。有効な孔は、以下で説明されるイメージ獲得変数において、０乃至２５５の標準グレーレベルスケールで１８若しくはこれより少ないグレーレベルを有している。
【００３６】
第１の材料４２は、好ましくは少なくと１０％の有効な開口領域を有しており、より好ましくは、第１の材料４２は、少なくとも１５％の有効な開口領域を有しており、さらにより好ましくは、第１の材料４２は、少なくとも２０％の有効な開口領域を有しており、もっとも好ましくは、第１の材料４２は、少なくとも約２５％の有効な開口領域を有している。
【００３７】
前記有効な孔の寸法及び有効な開口領域は、以下で説明するイメージ分析を使用している処理に従うことにより決定される。前記処理は、３つの主要な工程を有している：この３つ主要な工程とは、画像獲得、言い換えると第１の材料４２の表面上の領域の標本イメージを取得する；イメージ測定、言い換えるとイメージ、及び個々の孔並びにこれらの周辺の開口領域の割合を測定する；及びデータ分析、言い換えると、度数分布、領域分布の合計、並びに水力計算（ｈｙｄｒａｕｌｉｃ  ｒａｄｉｕｓ  ｃｏｍｐｕｔａｔｉｏｎ）がされるスプレッドシートに、開口領域、個々の孔の領域、及び周辺の測定を出力する、である。
【００３８】
フレームグラッバーボード（ｆｌａｍｅ  ｇｒａｂｂｅｒ  ｂｏａｒｄ）、マイクロスコープ（ｍｉｃｒｏｓｃｏｐｅ）、カメラ、及びイメージ分析ソフトウェアを有しているイメージ分析システムが、使用されている。マサチューセッツ州、マールボロ（Ｍａｓｓ．Ｍａｒｌｂｏｒｏ）のデータトランスレーション（Ｄａｔａ  Ｔｒａｎｓｌａｔｉｏｎ）から入手可能な型番ＤＴ２８５５のフレームゲッターが提供されている。ニュージャージー州、フェアーラウン（Ｆａｉｒ  Ｌａｗｎ  Ｎ．Ｊ．）のキーエンス社（Ｋｅｙｅｎｃｅ  Ｃｏｍｐａｎｙ）から入手可能な接触タイプのイルミネージョンヘッド（ｃｏｎｔａｃｔ  ｔｙｐｅ  ｉｌｌｕｍｉｎａｔｉｏｎ  ｈｅａｄ）を備え、ＶＨ５０レンズを有している、ＶＨ５９００モニターマイクロスコープ、ビデオカメラは、提供されており、コンピュータファイルに保存されるイメージを獲得するために使用される。キーエンスのマイクロスコープは、イメージを獲得し、そして、フレームグラッバーボードは、このイメージのアナログ信号をコンピュータで読み込み可能なデジタル形式に変換する。このイメージは、コンピュータファイルに保存され、ワシントン州エドマオンス（Ｅｄｍａｏｎｓ，Ｗａｓｈ）のバイオスキャンカンパニー社（ＢｉｏＳｃａｎ  Ｃｏｍｐａｎｙ）から入手可能なオプティマス（Ｏｐｔｉｍａｓ）イメージ分析ソフトウェアバージョン３．１のような適したソフトウェアを使用して測定される。オプティマスイメージ分析ソフトウェアを使用するために、コンピュータは、ワシントン州レドモンド（Ｒｅｄｍｏｎｄ，Ｗａｓｈ）のマイクロソフトコーポレーション（Ｍｉｃｒｏｓｏｆｔ  Ｃｏｒｐｏｒａｔｉｏｎ）から入手可能なウィンドウズ３．０以降を有している必要がある。また、Ｉｎｔｅｌ８０３８６と少なくとも等しいＣＰＵを有している。適したデスクトップＰＣは、特に適していると認知されている４８６ＤＸ３３型のＰＣを使用され得る。ファイルに保存され、ファイルから再び呼び出されるイメージは、最終的な表示の倍率が約５０倍を有している型式ＰＶＭ−１３４３ＭＯのソニートリニトロンモニター（ｓｏｎｙ  Ｔｒｉｎｉｔｒｏｎ  ｍｏｎｉｔｏｒ）上に表示される。
【００３９】
上述のイメージ獲得工程は、テストされるための材料の標本とされたサンプルから１０個の異なった領域を要求する。各領域は、約５．８ミリメートル×４．２ミリメートルの寸法を有している矩形形状である。前記サンプルは、孔と孔を規定しているサンプルの部分との間のコントラストを増加するために、つや消し黒板上に配置される。つや消し黒板の平均グレーレベル及び標準偏差は、夫々１６及び４である。
【００４０】
イメージは、ルームライトが消された状態で、コピースタンド（ｃｏｐｙｓｔａｎｄ）上に前記サンプルを直接取り付けられたキーエンスのモニターマイクロスコープを使用して獲得される。サンプルを照らすキーエンス光源は、調整され、ニューヨーク州ロチェスター（Ｒｏｃｈｅｓｔｅｒ，ＮｅｗＹｏｒｋ）のイーストマンコダック社（Ｅａｓｔｍａｎ  Ｋｏｄａｋ  Ｃｏｍｐａｎｙ）から入手可能なコダックグレースケールでの濃度ウェッジ０．３の平均グレーレベル及び標準偏差を測定するための前記オプティマスソフトウェアを用いて観測される。キーエンス光源の制御は、前記照らされたウェッジの平均グレーレベルが１１１±１及び標準偏差が１０±１のように調整される。すべてのイメージは、単一の時間の間に獲得され、キーエンス光源は、前記イメージ獲得プロセスの間中、前記ウェッジの平均グレーレベル及び標準偏差を測定することにより観測される。
【００４１】
各孔の測定において、有効な孔の寸法のみが、対象である。有効な孔の寸法の測定は、材料の多孔度（porosity）影響し、孔であると意図された領域を横切るような繊維及び繊維の束からなる、孔の寸法を定量化する。有効な孔は、ここで説明されているイメージ獲得変数を使用して、１８より少ない又は等しいグレーレベルを有し、材料を貫通している幾つかの孔である。従って、意図された孔は、横断している繊維により複数の有効な孔に分割され得る。
【００４２】
イメージ解析ソフトウェアは、サンプルイメージから獲得される定規イメージによりミリメートルにおいてキャリブレートされる。オプティマス３．１のイメージメニューで見つかる３×３ピクセル平均フィルターは、ノイズを減少するようにイメージを各々保存することが適用される。前記孔は、０乃至１８のグレーレベル範囲において検知される。５．８×４．２の観測領域中に完全に入りきらない孔は、個々の領域及び周辺の測定において考慮されない。従って、領域及び周辺の分布は、視野内に完全に入らない孔により影響されない。
【００４３】
しかしながら、イメージにおいて完全に見えていない個々の孔は、開口領域の計算の割合中に含まれている。この違いは、開口領域の割合が、単にイメージの全てのピクセルに対する０から１８までのグレーレベルを有しているピクセルの数の割合として算出するためである。１９若しくはこれより大きいグレーレベルを有している領域は、開口領域の計算において数えられない。
【００４４】
各材料の１０個のイメージの平均についての開口領域の割合は、オプティマスイメージ分析ソフトウェアを用いて測定される。開口領域の割合は、イメージの全てのピクセルに対する０から１８までのグレーレベルを有しているピクセルの数の割合として規定されている。開口領域の割合は、サンプルから１つの特別な領域として表されている各イメージの間で測定される。前記１０個の個々のイメージの各々からの開口領域の割合は、全体のサンプルについての開口領域の割合を与えるように続いて平均される。
【００４５】
前記データ分析は、ワシントン州レドモンド（Ｒｅｄｍｏｎｄ，Ｗａｓｈ）のマイクロソフトコーポレーション（Ｍｉｃｒｏｓｏｆｔ  Ｃｏｒｐｏｒａｔｉｏｎ）からまた入手可能なエクセルのスプレッドシートにより管理される。エクセルのスプレッドシートは、オプティマスソフトウェアから獲得された、開口領域の割合、開口領域、及び孔の周辺の測定値をまとめる。サンプルの平均並びに標準偏差、個々の孔の寸法並びに度数分布、及び個々の孔のための水力半径の計算（周辺により分けられた領域）は、スプレッドシートを使用することで獲得される。個々の孔領域の分布はまた、エクセルのスプレッドシートを用いて計算される。これらの孔は、確かな寸法の範囲のビン（ｂｉｎｓ）へソートされる。対象の確かな寸法の範囲内に減少された開口領域の数は、各範囲中の領域の合計と同様に決定される。前記範囲は、０．０５平方ミリメートルの増分において設定される。これらの領域は、サンプルの全ての開口領域の割合として表示される。前記領域の分布の度数及び合計は、各サンプルの全ての１０個のイメージからの個々の孔の測定値の合成により、取得される。
【００４６】
第１の材料４２の孔４６は、寸法、形状、及びパターンにおいて変化し得る。いくつかの可能な形状の例は、限定されることはないが、円、四角形、矩形、楕円形、三角形、ドッグボーン（ｄｏｇ−ｂｏｎｅ）、星形、及び長楕円形等を含んでいる。孔４６は、体系的、均一、又はランダムなパターンに配置され得る。同様な孔の寸法を有している体系的なパターンが好ましい。
【００４７】
第２の材料４４は、従順で、柔らかい感触、着用者の肌に無刺激である。第２の材料４４は、好ましくは液体不透過性の不織りのウェブである。不織りのウェブは、幾つかの以下の高分子から形成され得る：前記高分子は、ポリアミド、ポリプロピレン、ポリプロピレン共重合体、重材料、ポリエチレン、ポリエチレン  テレフタレート（ｐｏｌｙｅｔｈｙｌｅｎｅ−ｔｅｒｅｐｈｔｈａｌａｔｅ）、及びこれらの組み合わせなどである。適した材料は、ドライレイド（ｄｒｙ  ｌａｉｄ）及び毛羽立てられたウェブ、エアーレイド（ａｉｒ  ｌａｉｄ）及びランダムウェブ（ｒａｎｄｏｍ  ｗｅｂ）、スポンボンデッド（ｓｐｕｎｂｏｎｄｅｄ  ｗｅｂ）、溶融吹き付けウェブ、スプンレースドウェブ（ｓｐｕｎｌａｃｅｄ  ｗｅｂ）、及び貫通エア（ｔｈｒｏｕｇｈ  ａｉｒ）若しくはカレンダー接着ウェブ（ｃａｌｅｎｄａｒ  ｂｏｎｄｅｄ  ｗｅｂ）を含んでいる。代わりに、前記不織りのウェブは、飽和接着（ｓａｔｕｒａｔｉｏｎ  ｂｏｎｄｉｎｇ）を経由したラテックス接着（ｌａｔｅｘ−ｂｏｎｄｅｄ）、グラビア印刷、スクリーン印刷、スプレー、又はフォーム接着、であり得る。まださらに、前記不織りのウェブは、ラテックス接着及びカレンダー接着ウェブ、又は他の適した組み合わせのような、上記の技術の組み合わせで接着され得る。繊維は、約１と１８との間が好ましいデニール（ｄｅｎｉｅｒ）を有している繊維に関して、大小さまざまにし得る。第２の材料４４は、好ましくは約５ｇｓｍから１００ｇｓｍの斤量を有しており、より好ましくは、約５ｇｓｍから約６０ｇｓｍの斤量を有している。第２の材料４２は、好ましくは約０．１ｍｍから５．０ｍｍのキャリパーを有しており、より好ましくは約０．１ｍｍから約２．０ｍｍのキャリパーを有している。
【００４８】
第２の材料４４は、少なくとも０．２ｍｍ平方ミリメートルの有効な孔の寸法を備えている複数の孔４８を有しており、より好ましくは、前記複数の孔は、少なくとも０．５ｍｍ平方ミリメートルの有効な孔の寸法を有しており、さらにより好ましくは、前記複数の孔は、少なくとも１．０ｍｍ平方ミリメートルの有効な孔の寸法を有しており、もっとも好ましくは、前記複数の孔は、少なくとも２．０ｍｍ平方ミリメートルの有効な孔の寸法を有している。有効な孔は、以下で説明されるイメージ獲得変数において、０乃至２５５の標準グレーレベルスケールで１８若しくはこれより少ないグレーレベルを有している。
【００４９】
第２の材料４４は、好ましくは少なくと１０％の有効な開口領域を有しており、より好ましくは、第２の材料４４は、少なくとも１５％の有効な開口領域を有しており、さらにより好ましくは、第２の材料４４は、少なくとも２０％の有効な開口領域を有しており、もっとも好ましくは、第２の材料４４は、少なくとも約２５％の有効な開口領域を有している。
【００５０】
第２の材料４４の孔４８は、寸法、形状、及びパターンにおいて変化し得る。いくつかの可能な形状の例は、限定されることはないが、円、四角形、矩形、楕円形、三角形、ドッグボーン（ｄｏｇ−ｂｏｎｅ）、星形、及び長楕円形等を含んでいる。孔４８は、体系的、均一、又はランダムなパターンに配置され得る。同様な孔の寸法を有している体系的なパターンが好ましい。
【００５１】
好ましくは、第１の材料中の孔４６は、第２の材料４４中の孔４８と直接整列されている。前記第１及び第２の材料においての前記孔の整列は、ラミネートウェブをたやすく通り抜けることを尿及び便物質に認める。
【００５２】
第２の材料は、好ましくは第１の材料の親水性より大きい親水性を有している。従って、比較的疎水性の材料、第１の材料は、着用者の肌に隣接して配置され、比較的親水性の材料は、速い尿の吸収及び吸収コアに閉じ込められている液体から着用者の肌の隔離を提供するために、吸収性コアに隣接して配置されている。着用者の肌に隣接している比較的疎水性の材料を有していることは、早期に脱水されることから便物質を保護し、この結果、浸透することから便物質を妨げるトップシートの外表面に指向されている肌上に便物質を固定する。
【００５３】
図１及び図２に示されている実施の形態において、第２の材料４４は、第１の材料より大きい幅を有している。第１の材料４２は、第２の材料４４より幅が小さいが、第１の材料４２は、好ましくは横たわっている吸収性コアに少なくとも等しい幅を有しており、より好ましくは、横たわっている吸収性コアより大きい幅を有している。さらに、第２の材料４４は、好ましくは第１の材料４２と完全に重なり合った部分のみに孔があけられている。しかしながら、第１の材料の縁を超えて延びる第２の材料４４の部分は、もし望まれるならば孔があけられ得る。
【００５４】
図３に示されている実施の形態において、ラミネートウェブ６０は、同一の幅を有している第１の材料６２及び第２の材料６４を有している。ラミネートウェブ６０は、中央ゾーン７０及び１対の外側ゾーン７２を具備している。図３に示されている実施の形態において、ラミネートウェブ６０は、中央ゾーン７０中に孔があけられているが、外側ゾーン７２中には孔があけられていない。しかしながら、ラミネートウェブ６０は、もし望むならば外側ゾーン７２中に孔があけられ得る。
【００５５】
図４を参照して、おむつ１２０上のトップシート１２４は、ラミネートウェブ１４０を具備している。ラミネートウェブ１４０は、第１の材料１４２及び第１の材料１４２に固定された第２の材料１４４を具備している。図４において理解され得るように、ラミネートウェブ１４０は、おむつ１２０の背部即ち後ろ腰領域１２９中にのみ孔があけられている。ラミネートウェブ１４０は、おむつ１２０の確かな部分において、所望の利益を提供し得るどのような手段においても孔があけられ得る。例えば、ラミネートウェブ１４０は、股領域１３１のみ、前腰領域１２７、これら２つの領域の組み合わせ、どれか１つの領域の部分、又は、幾つかの領域の部分において、孔があけられ得る。
【００５６】
第１の材料が、使用中において着用者の肌に隣接する材料であろうため、第１の材料は、好ましくは柔らかい。熱接着不織りウェブを備えて、ウェブの接着された領域の量は、柔らかさを決定する事においての要因であるとともに、ウェブの引張り強さの要因でもある。ウェブの接着領域の増加につれて、柔らかさは減少し、引っ張り強さは増大する。コントラストにおいて、ウェブの接着領域の減少につれて、柔らかさは増大し、引っ張り強さは減少する。柔らかさと強さの両方をラミネートウェブに提供するために、第１の材料が柔らかさを提供するために比較的低い接着領域を有しており、第２の材料が強さを提供するために比較的高い接着領域を有していることは、好ましい。第１の材料は、好ましくは約０％から約２５％まで、より好ましくは約５％から約１５％までの接着領域を有している。第２の材料は、好ましくは約０％から約３５％まで、より好ましくは約１０％から約２０％までの接着領域を有している。
【００５７】
ウェブの前記柔らかさ及び強さを決定することにおいてのもう１つの要因は、繊維の形式である。従って、第１の材料は、所望の柔らかさを提供する繊維で構成されており、第２の材料は、所望の強さを提供する繊維で構成されている。
【００５８】
図５を参照して、ここには、本発明のラミネートウェブを形成するための処理装置２００の概略的な図が示されている。第１の材料２４２は、供給ロール２１０から巻きが解かれており、供給ロール２１０が矢印により指摘されている方向に回転するにつれ、矢印で指摘されている方向に移動される。第２の材料２４４は、供給ロール２１２から巻きが解かれており、供給ロール２１２が矢印により指摘されている方向に回転するにつれ、矢印で指摘されている方向に移動される。
【００５９】
供給ロールから巻きが解かれる代わりに、第１及び第２の材料は、毛羽立て装置、毛羽立て並びにカレンダー装置、スパンボンディング装置、スパンボンディング並びにカレンダー装置、溶融吹き付け装置、溶融吹き付け並びにカレンダー装置のような形成装置から、ニップ（ｎｉｐ）２５０にただちに搬送される。
【００６０】
第１の材料２４２及び第２の材料２４４は、ローラ２５４及び２６０により形成された孔あけ装置２５２のニップ２５０通過して搬送される。ローラ２６０は、滑らかな外表面２６２を有している。ローラ２６０は、好ましくは鋼により構成されている。ローラ２６０は、例えばラバーのような他の材料からも構成され得る。ローラ２５４は、自身の略全体の外表面から延びる複数の突起２５８を有している。ローラ２５４は、好ましくは鋼により構成されている。
【００６１】
ローラ２５４及び２６０は、同一の速度を有している。ローラ２５４及びローラ２５４及び２６０は、熱されている。好ましいローラ２５４は、ローラ２６０より高い温度を有するように熱されている。第１及び第２の材料がニップ２５０を通過するにつれて、これらは、同時に互いに接着され、孔があけられる。ウェブに孔があけられるにつれて、第１及び第２の材料は、少なくとも孔の周辺が溶かされるように、これらの溶解点を超えて熱せられる。
【００６２】
第１及び第２の材料が、装置２５２により孔があけられ、互いに接着された後、ラミネートウェブ２４０は、装置２５２を過ぎた後、ラミネートウェブが固まるように続いて冷やされる。図５において、ラミネートウェブは、ブロワー２７０からウェブ２４０上に冷却空気が吹き付けられることにより冷やされるように示されている。もちろん他の公知の技術は、ウェブ２４０を冷やすために使用され得る。ラミネートウェブを冷やすことは、孔の周辺のあたりで延び、溶けている材料を凝固する。
【００６３】
冷却後、ウェブは、ローラ２８２及び２８４により形成されるニップ２８０を通り抜けて搬送される。ローラ２８２及び２８４は、同一の速度を有している。ローラ２８２及び２８４は、滑らかな外表面を有している。ローラ２８２及び２８４は、好ましくは鋼により構成されている。しかしながら他の適した材料は、ローラ２８２及び２８４を構成するように使用され得る。ローラ２８２及び２８４は、孔の周辺のあたりで延びる硬い溶けた材料を壊す。硬い溶けた材料を壊すことは、ラミネートウェブのやわらかさを増大する。
【００６４】
ローラ２８２及び２８４の周辺線速さ（ｐｅｒｉｐｈｅｒａｌ  ｌｉｎｅｒ  ｓｐｅｅｄ）は、好ましくはローラの２つのセットの間の材料を引っ張っているローラ２５４及び２６０の周辺線速さより大きい。前記ローラの速度を調節することにより、材料は、所望の量がネック（ｎｅｃｋ）するように引っ張られる。
【００６５】
ニップ２８０からラミネート２４０は、巻き取りロール２９０に巻きつけられる。
【００６６】
図６を参照して、図４中で説明されているラミネートウェブ１４０を形成するための処理装置３００が図示されている。ローラ２５４の外表面３５６の１部分のみの周りで延びている突起３５８を除いては同一である。この処理装置は、ラミネートウェブの１部分のみに孔をあける。もちろん、幾らかのパターンの突起は、所望の孔の構成を創造するように選択され得る。
【００６７】
図７を参照して、本発明の複数のラミネートを同時に形成されるための処理装置４００が示されている。第１の材料４４２及び第２の材料４４４は、ローラ４５４及び４６０により形成された孔あけ装置４５２のニップの方へ搬送される。第１の材料４４２は、ナイフ４９０により複数のストリップ４４５に切断される。図７に示されている実施の形態において、第２の材料４４４の複数のストリップ４４５も、孔あけ装置４５２のニップの方へ搬送される。第２の材料４４４の複数のストリップ４４５は、第１の材料４４２と同様に切断され得るとともに、複数の供給ローラから搬送され得る。
【００６８】
おむつ２０は、液体及び他の身体からの滲出物の改良された閉じ込めを提供する弾性レッグカフス（ｅｌａｓｔｉｃｉｚｅｄ  ｌｅｇ  ｃｕｆｆｓ）（図示せず）をさらに具備し得る。各弾性レッグカフスは、脚領域において身体滲出物の漏れを減少させるために幾つかの異なる実施の形態を具備し得る。（前記レッグカフスは、レッグバンド、サイドフラップ、境界カフス、又は弾性カフスとして指摘され得る、若しくはしばしば指摘される。）米国特許第３，８６０，００３号では、サイドフラップを有しているレッグカフスと、弾性レッグカフス（ガスケッティングカフス（ｇａｓｋｅｔｉｎｇ））を提供するための１つ若しくはそれ以上の弾性部材とを提供する使い捨ておむつ２０が説明されている。１９９０年３月２０日にアジズ（Ａｚｉｚ）らに発行され、「弾性フラップを有している使い捨て吸収性製品」と題され、共通に譲渡された米国特許第４，９０９，８０３号は、脚領域の閉じ込めを改良するために、「起き上がった（ｓｔａｎｄ−ｕｐ）」弾性フラップ（境界カフス）を有している使い捨ておむつ２０が説明されている。１９８７年９月２２日ローソン（Ｌａｗｓｏｎ）に発行された、「２重カフスを有している吸収性製品」と題され、共通に譲渡され米国特許第４，６９５，２７８号は、ガスケッティングカフス及び境界カフスを含んでいる使い捨ておむつ２０が説明されている。
【００６９】
おむつ２０は、好ましくはさらに、改良されたフィット並びに閉じ込めを提供する弾性腰特徴部（図示せず）を具備している。弾性腰特徴部は、着用者の腰に動的にフィットするように、弾性的な膨張及び接触を意図するおむつ２０の部分又はゾーンはである。前記弾性腰特徴部は、吸収性コア２８の腰縁の少なくとも１つから少なくとも長手方向外方に延びており、おむつ２０の端縁の少なくとも１部分を概ね形成している。使い捨ておむつは、２つの腰特徴部、第１の腰領域２７において１つが位置され、第２の腰領域において１つが位置されているが、おむつは、単一の弾性腰特徴部で構成され得る。さらに、弾性腰特徴部又はいくつかの自身の構成部材は、おむつ２０に取り付けられた個々の部材を具備し得るが、弾性腰特徴部は、バックシート２６又はトップシート２４、好ましくはバックシート２６及びトップシート２４の両方のように、好ましくはおむつ２０の他の部材の拡張として構成される。弾性ウェストバンド３４は、１９８５年５月７日にキビット（Ｋｉｅｖｉｔ）らに発行された米国特許第４，５１５，５９５号及び上記で参照された米国特許出願番号第０７／７１５，１５２において説明されているものを含んでいる幾つかの異なった構成において組み立てられることが出来、これらの参照の各々は、参照されここで組み込まれている。
【００７０】
おむつ２０はまた、側方張力が着用者におむつ２０を支えるためにおむつ２０の周囲で維持されるように、重なるような構成において、第１の腰領２７域及び第２の腰領域２９を維持するサイドクロージャー（ｓｉｄｅ  ｃｌｏｓｕｒｅ）を形成する固定システム３６を具備し得る。例えば、固定システムは、１９８９年７月１１日にスクリップス（Ｓｃｒｉｐｐｓ）に発行され「改良された固定装置を有している使い捨ておむつ」と題された米国特許第４，８４６，８１５号；１９９０年１月１６日にネステガード（Ｎｅｓｔｅｇａｒｄ）に発行され「改良されたホック固定部分を有している使い捨ておむつ」と題された米国特許第４，８９４，０６０号；１９９０年８月７日バテレル（Ｂａｔｔｒｅｌｌ）に発行され「圧力感知接着ファスナー及びこの製造方法」と題され、共通に譲渡された米国特許第４，９４６，５２７号；１９７４年１１月１９日にビュエル（Ｂｕｅｌｌ）に発行され「使い捨ておむつのためのテープ固定システム」と題され、共通に譲渡された米国特許第３，８４８，５９４号；１９８７年５月５日にヒロツ（Ｈｉｒｏｔｓｕ）らに発行され「吸収性製品」と題され、共通に譲渡された米国特許第Ｂ１  ４，６６２，８７５号；及びここで前に参照された米国特許出願番号第０７／７１５，１５２において開示されており、参照され、ここで組み込まれている。
【００７１】
おむつ２０は好ましくは、着用者の背後において、腰領域の１部、好ましくは第２の腰領域２９，に配置されること、及び着用者の脚の間におむつ２０の残りを引くことにより、適用され、故に、他の部分、好ましくは第１の腰領域２７は、着用者の前に横切って配置される。続いて固定システムのテープタブ３６は、取り外し位置から取り外される。続いて、おむつは、前記タブ部分がまだつかまれている間に、着用者の周りを弾性サイドパネルで包まれる。固定システムは、２つのサイドクロージャーを有効にするように、おむつ２０の外表面に固定する。
【００７２】
本発明の特別な実施の形態が示され説明されているが、各種の変更及び変形が本発明の精神及び範囲を逸脱することなくなされることは当業者には明白であろう。本発明の範囲内の変更及び変形について全て添付の請求の範囲においてカバーされていることが意図されている。
【００７３】
明細書は、本発明の要点と明確な請求とを請求している請求の範囲で締めくくられているが、同一の部材には、同一の参照符号が与えられている添付の明細書に関して用いられる上記の図面により、よりよく理解されることは、信じられている。
【図面の簡単な説明】
【図１】  図１は、本発明のラミネートウェブを構成しているトップシートを有している使い捨ておむつの、部分的に切断して示している上面図である。
【図２】  図２は、図１に示されているのラミネートウェブのトップシートを示す断面図である。
【図３】  図３は、本発明のラミネートウェブのもう１つの実施の形態を示す断面図である。
【図４】  図４は、本発明のラミネートウェブのもう１つの実施の形態の組み立てられたトップシートを有している使い捨ておむつの上面図である。
【図５】  図５は、本発明のラミネートウェブを形成するための処理装置の簡略化した概略図である。
【図６】  図６は、図４中で説明されている本発明のラミネートウェブを形成するためのもう１つの処理装置の簡略化した概略図である。
【図７】  図７は、本発明の複数のラミネートウェブを同時に形成するための処理装置の一部分の簡略化した上面図である。
【図１】
0004471139.tif 000002
【図２】
0004471139.tif 000003
【図３】
0004471139.tif 000004
【図４】
0004471139.tif 000005
【図５】
0004471139.tif 000006
【図６】
0004471139.tif 000007
【図７】
0004471139.tif 000008